(57)【要約】【課題】単眼による拡大画像の観察、及び両眼による通常画像の観察を可能とする。【解決手段】面光源５０２からの光は、バリア素子５０１の開口部Ｂを通過した後、画像表示素子１０７を通って瞳１０６に到達する。該開口部Ｂの開口面積を小さくした場合には単眼による拡大画像の観察が可能となり、該開口部Ｂの開口面積を大きくした場合には両眼による通常画像の観察が可能となる。【選択図】　　　図５
2004029236.tif 000002
【特許請求の範囲】
【請求項１】
複数の微小点光源が２次元的に配列されて構成された第１照明手段と、各微小点光源からの光を眼球の方向へ屈曲させる第１光学部材と、各微小点光源からの光を収束させた上で略平行光束に変換する第２光学部材と、各微小点光源からの光を選択的に遮断することに基き各微小点光原を画素とし、かつ全体として画像を表示する画像表示素子と、からなり、
各微小点光源からの光が眼球に導かれることに基き、該眼球の明視の距離以上離れた所に拡大虚像を形成する、
ことを特徴とする画像表示装置。
【請求項２】
前記第１光学部材がプリズムであり、前記第２光学部材が凸レンズである、ことを特徴とする請求項１に記載の画像表示装置。
【請求項３】
前記第１光学部材が凸レンズであり、前記第２光学部材が凸レンズである、ことを特徴とする請求項１に記載の画像表示装置。
【請求項４】
略平行光束を出射する複数の微小光源が２次元的に配列されて構成された第２照明手段と、各微小光源からの光を眼球の方向へ屈曲させる第３光学部材と、各微小光源からの光を選択的に遮断することに基き各微小光原を画素とし、かつ全体として画像を表示する画像表示素子と、からなり、
各微小点光源からの光が眼球に導かれることに基き、該眼球の明視の距離以上離れた所に拡大虚像を形成する、
ことを特徴とする画像表示装置。
【請求項５】
前記画像表示素子に沿うように散乱制御素子が配置され、該散乱制御素子を全面透過状態とした場合には片目による拡大虚像の観察を可能とし、該散乱制御素子を全面散乱状態とした場合には両目による画像の観察を可能とする、ことを特徴とする請求項４に記載の画像表示装置。
【請求項６】
前記第３光学部材がプリズムである、ことを特徴とする請求項４又は５に記載の画像表示装置。
【請求項７】
前記第３光学部材が凸レンズ及び凹レンズを組み合せたものである、ことを特徴とする請求項４又は５に記載の画像表示装置。
【請求項８】
２次元面から光を出射する第３照明手段と、該第３照明手段に沿うように配置されると共に２次元的に配列された複数の開口部を有する光量制御手段と、各開口部を通過してきた光を眼球の方向へ屈曲させる第１光学部材と、各開口部を通過してきた光を略平行光束に変換する第２光学部材と、各開口部を通過してきた光を選択的に遮断することに基き各開口部を画素とし、かつ全体として画像を表示する画像表示素子と、からなり、
前記光量制御手段は、前記開口部の開口面積を変化させることにより光量を制御するように構成され、
前記開口部の開口面積を小さくした場合には、各開口部を通過してきた光が眼球に導かれることに基き、該眼球の明視の距離以上離れた所に拡大虚像を形成し、
前記開口部の開口面積を大きくした場合には、両眼視による離れた位置での画面の観察を可能とする、
ことを特徴とする画像表示装置。
【請求項９】
前記第１光学部材が凸レンズであり、前記第２光学部材が凸レンズである、ことを特徴とする請求項８に記載の画像表示装置。
【請求項１０】
画像情報に応じた光を出射する微小点光源が２次元的に複数配列されて構成された第４照明手段と、各微小点光源からの光を眼球の方向へ屈曲させる第１光学部材と、各微小点光源からの光を収束させた上で略平行光束に変換する第２光学部材と、該第２光学部材に沿うように配置された散乱制御素子と、からなり、
該散乱制御素子を全面透過状態とした場合には片目による拡大虚像の観察を可能とし、該散乱制御素子を全面散乱状態とした場合には両目による画像の観察を可能とする、
ことを特徴とする画像表示装置。
【請求項１１】
複数の微小点光源が２次元的に配列されて構成された第１照明手段と、各微小点光源からの光を眼球の方向へ屈曲させる第１光学部材と、各微小点光源からの光を収束させた上で略平行光束に変換する第２光学部材と、各微小点光源からの光を選択的に遮断することに基き各微小点光原を画素とし、かつ全体として画像を表示する画像表示素子と、からなり、
前記第１の光学部材がマイクロプリズムであり、前記第２の光学部材がマイクロ凸レンズであり、かつ、
各微小点光源からの光が眼球に導かれることに基き、該眼球の明視の距離以上離れた所に拡大虚像を形成する、
ことを特徴とする画像表示装置。
【発明の詳細な説明】
【０００１】
【発明の属する技術分野】
本発明は、観察者の眼球の近くに配置されて拡大虚像を表示する画像表示装置に関する。
【０００２】
【従来の技術】
従来、頭部に装着するタイプのヘッドマウントディスプレイ装置（以下ＨＭＤとする）では、単眼によって拡大虚像を視認できるように構成されていた。
【０００３】
例えば、図８は、特開平１０−１７０８６０号公報に記載のＨＭＤの構造を示す図であり、平面バックライト８００や透過型ＬＣＤ８０１や接眼レンズ８０２によって拡大虚像を視認できるようになっている。また、図９は、特開平５−３２８２６１号公報や特開平６−４３３９１号公報に記載のＨＭＤの構造を示す図であり、映像表示素子９００とマイクロレンズ９０１と集光レンズ９０２とによって拡大虚像を視認できるようになっている。
【０００４】
【発明が解決しようとする課題】
しかしながら、上述したＨＭＤでは、単眼での拡大画像の観察は可能であるものの、離れた距離からの両眼での通常画像の観察はできないという問題があった。例えば、特開平１０−１７０８６０号公報に記載のＨＭＤでは（光利用効率が向上されて薄型であるものの）両眼での通常画像の観察は全く出来ない。また、特開平５−３２８２６１号公報及び特開平６−４３３９１号公報に記載のＨＭＤでは、コンパクトで解像度の良い映像を表示できるもののフィールドレンズを用いているため、離れた距離での観察はできない。つまり、これらのＨＭＤでは、マイクロレンズがそれぞれ図示の位置に配置されているため、マイクロレンズの境界と画素の境界とで、モアレを発生してしまい、離れた画像からの両眼による観察には向いていない。
【０００５】
そこで、本発明は、単眼による拡大画像観察と両眼による通常画像観察の両方を可能とした画像表示装置を提供することを目的とするものである。
【０００６】
【課題を解決するための手段】
本発明は上記事情を考慮してなされたものであり、複数の微小点光源が２次元的に配列されて構成された第１照明手段と、各微小点光源からの光を眼球の方向へ屈曲させる第１光学部材と、各微小点光源からの光を収束させた上で略平行光束に変換する第２光学部材と、各微小点光源からの光を選択的に遮断することに基き全体として画像を表示する画像表示素子と、からなり、
各微小点光源からの光が眼球に導かれることに基き、該眼球の明視の距離以上離れた所に拡大虚像を形成する、ことを特徴とする。
【０００７】
【発明の実施の形態】
以下、図１乃至図７を参照して、本発明の実施の形態について説明する。
【０００８】
本発明は、画像表示装置を覗き込むことによる（近接した位置での）拡大虚像の観察を可能とするものであり、さらに、該装置から離れた位置での画面観察をも可能にするものである。すなわち、装置背面からの照明方法をマイクロスポットライト照明方法と全面均一照明方法とに切り替え可能に構成することにより、・　マイクロスポットライト照明方法にした場合（例えば、図５（ａ）　参照）には、画像表示装置を単眼で覗き込むことにより、矩形開口の拡大虚像の観察が可能となり、
・　全面均一照明方法にした場合（例えば、図５（ｂ）　参照）には、離れた距離での両眼視での表示画面の観察が可能となり、マイクロレンズと表示素子の画素との間のモアレの発生や、両眼視によるクロストークや輻輳の発生を抑えることができる。
【０００９】
本発明に係る画像表示装置は、例えば図１に示すように、複数の微小点光源Ａ１が２次元的に配列されて構成された第１照明手段（バリア素子）１０１と、各微小点光源Ａ１からの光を符号１０３に示すように眼球１０６の方向へ屈曲させる第１光学部材１０２と、各微小点光源Ａ１からの光を収束させた上で略平行光束１０５に変換する第２光学部材１０４と、各微小点光源Ａ１からの光を選択的に遮断することに基き各微小光源を画素とし、かつ全体として画像を表示する画像表示素子１０７と、を備えていて、各微小点光源からの光が略平行光束に変換された上で眼球１０６に導かれることに基き、該眼球の明視の距離以上離れた所に拡大虚像を形成する、ようになっている。
【００１０】
この場合、前記第１光学部材１０２にはプリズムを用いることができ、前記第２光学部材１０４には凸レンズを用いることができる。また、図２に示すように、前記第１光学部材（符号２０１参照）及び前記第２光学部材（符号２０３参照）に凸レンズを用いても良い。さらに、符号１０８に示すようにカラーフィルターを配置しても良い。
【００１１】
また、本発明に係る画像表示装置は、図３に示すように、略平行光束を出射する複数の微小点光源Ａ２が２次元的に配列されて構成された第２照明手段３０１と、各微小点光源Ａ２からの光を眼球の方向へ屈曲させる第３光学部材１０２と、各微小点光源Ａ２からの光を選択的に遮断することに基き全体として画像を表示する画像表示素子１０７と、を備えていて、各微小点光源からの光が眼球に導かれることに基き、該眼球の明視の距離以上離れた所に拡大虚像を形成する、ようになっている。
【００１２】
この場合、図６（ａ）（ｂ）に示すように、前記画像表示素子１０７に沿うように散乱制御素子６０１が配置され、該散乱制御素子６０１を全面透過状態とした場合には片目による拡大虚像の観察（近接した位置での観察）を可能とし、該散乱制御素子６０１を全面散乱状態とした場合には両目による画像の観察（離れた位置での観察）を可能とする、ようにすると良い。
【００１３】
ここで、第３光学部材としてはプリズム（図３の符号１０２参照）や、凸レンズ（図４（ａ）　の符号２０１参照）及び凹レンズ（図４（ａ）　の符号４０１参照）、或いはそれらを組み合わせたもの（図４（ｂ）　の符号４０３参照）を挙げることができる。
【００１４】
さらに、本発明に係る画像表示装置は、図５（ａ）　に示すように、２次元面から光を出射する第３照明手段５０２と、該第３照明手段５０２に沿うように配置されると共に２次元的に配列された複数の開口部Ｂを有する光量制御手段５０１と、各開口部Ｂを通過してきた光を眼球１０６の方向へ屈曲させる第１光学部材（符号２０１参照）と、各開口部Ｂを通過してきた光を収束させた上で略平行光束に変換する第２光学部材（符号２０３参照）と、各開口部Ｂを通過してきた光を選択的に遮断することに基き各開口部を画素とし、かつ全体として画像を表示する画像表示素子１０７と、を備えていて、前記光量制御手段５０１は、前記開口部Ｂの開口面積を変化させる（例えば、同図（ａ）　に示す微小開口状態と同図（ｂ）　に示す大開口状態とに切り替える）ことにより光量を制御するように構成されており、前記開口部の開口面積を小さくした場合（同図（ａ）　に示す微小開口状態の場合）には、各開口部を通過してきた光が略平行光束に変換された上で眼球に導かれることに基き、該眼球の明視の距離以上離れた所に拡大虚像を形成し、前記開口部の開口面積を大きくした場合（同図（ｂ）　に示す大開口状態の場合）には、両眼視による離れた位置での画面の観察を可能とする、ようにしたものを挙げることができる。つまり、微小開口状態の場合、各微小点光源からの発散光が略平行光に変換され、その光軸が対応する画像表示素子の各画素と各カラーフィルターの背面から透過して、画像表示素子の表示面から生理上ピントを合わせることが出来ない近距離に近づけた単眼の瞳面上で概一点にあわせられる。そのため微小開口と対応するマイクロレンズと対応する画素は瞳面上で光軸が一点に合致させるため配置付けられる。このとき、画像表示素子の画素は照明光を有効に利用するため正確に合わせることが望ましい。また拡大観察するのは開口であるため、微小開口は矩形形状であることが望ましい。
【００１５】
マイクロレンズを含む照明光学系の焦点を該微小開口部の近傍に合わせることにより、開口部の虚像を目のピントが合わせたれる距離（２５０ｍｍ〜∞）に形成できる。このとき、瞳は表示画面に近づきすぎるため、画面の表面は観察できず、虚像を観察する結果となり拡大画面を観察できる。
【００１６】
最外辺の光線束の瞳への最大入射角度によって、表示画面と瞳面までの距離で決まる虚像（表示画面）の大きさが決まる。
【００１７】
マイクロレンズを含む照明光学系による各画素（微小開口）の拡大率と表示画面の拡大率が互いに独立となるが、開口の大きさが隣り合う画素と重ならないように決める。そのため、瞳面と表示画面までの距離をＬ、マイクロレンズの対角の長さをＤ、マイクロレンズを含む照明光学系の焦点距離をｆ、開口の対角の長さをＷとすれば、瞳面から虚像面までの距離が十分大きい場合は、Ｗ≦μｘｆｘＤ／Ｌとすれば良い。
【００１８】
ここで、μは観察画面の視認性から決める画素の重なりの許容値を示す係数である。
【００１９】
また、離れた位置から画面を両眼視で観察する場合においては、バリア素子を透過状態に切り替えて、照明光の指向性の機能をなくし、ほほ均一なバックライト光として液晶表示素子を背面から照射する。
【００２０】
このため、特開平１０−１７０８６０号公報のように、マイクロレンズが表面側に配置された場合だと、マイクロレンズのレンズ作用によって、両眼の輻輳が表示素子面で交差する状態で素子面から離れた位置に画面表示されるため、画面が重なり離れた距離からの表示画面を観察できない。マイクロレンズと画素の重なりは偏心しているため、隣の開口の光が入り込むクロストークが発生し画面を劣化させる。また、マイクロレンズの境界と表示素子の画素境界によりモアレが発生して、画面を劣化させる。
【００２１】
なお、上述した第１光学部材２０１及び第２光学部材２０３には凸レンズを用いることができる。
【００２２】
また、本発明に係る画像表示装置は、図７（ａ）　に示すように、画像情報に応じた光を出射する微小点光源Ａ３が２次元的に複数配列されて構成された第４照明手段７０１と、各微小点光源Ａ３からの光を眼球１０６の方向へ屈曲させる第１光学部材２０１と、各微小点光源からの光を収束させた上で略平行光束に変換する第２光学部材２０３と、該第２光学部材２０３に沿うように配置された散乱制御素子６０１と、からなり、該散乱制御素子６０１を全面透過状態とした場合には片目による拡大虚像の観察（近接した位置での観察）を可能とし、該散乱制御素子６０１を全面散乱状態とした場合には両目による画像の観察（離れた位置での観察）を可能としている。つまり、第４照明手段７０１は、各微小点光源Ａ３の光量を独立して制御されることに基き全体として画像を表示するように構成されている。
【００２３】
次に、本実施の形態の効果について説明する。
【００２４】
本発明によれば、画像表示装置を覗き込むことによる（近接した位置での）拡大虚像の観察が可能となり、さらに、該装置から離れた位置での画面観察（等倍での両眼視による観察）が可能となる。
【００２５】
そして、小さな画面の単純な拡大や、他の内容表示への変換や、表示向きの変換等も可能となる。
【００２６】
これにより、携帯機器等の小さな画面では表示しきれなかった、たくさんの情報が拡大表示で観察可能となり、携帯機器の利便性が大幅に増した。
【００２７】
【実施例】
以下、実施例に沿って本発明を更に詳細に説明する。
【００２８】
（実施例１）
図１は、本発明に係る画像表示装置の一実施例を示す図である。本実施例では、同図に示すように、多数の微小点光源Ａ１を２次元マトリックス状に面配列したバリア素子（第１照明手段）１０１と、各微小点光源Ａ１からの光を瞳１０６の方向へ屈曲させるマイクロプリズム素子（第１光学部材）１０２と、各微小点光源からの光を収束させた上で略平行光束に変換するマイクロ凸レンズ素子（第２光学部材）１０４と、画像を表示する画像表示素子１０７と、カラーフィルター１０８と、によって画像表示装置を構成し、バリア素子１０１の微小点光源Ａ１から出射された光が、マイクロプリズム素子１０２によって屈曲され（符号１０３参照）、マイクロ凸レンズ素子１０４によって略平行光に変換され画像表示素子１０７やカラーフィルター１０８を透過した後に瞳１０６の位置で略一点で交わり、拡大虚像を瞳から明視の距離以上離れた一面に形成することとなる。
【００２９】
（実施例２）
図２（ａ）　は、本発明に係る画像表示装置の一実施例を示す図である。本実施例では、同図に示すように、多数の微小点光源Ａ１を２次元マトリックス状に面配列したバリア素子（第１照明手段）１０１と、各微小点光源Ａ１からの光を瞳１０６の方向へ屈曲させる凸レンズ２０１と、各微小点光源からの光を収束させた上で略平行光束に変換するマイクロ凸レンズ素子２０３と、画像を表示する画像表示素子１０７と、カラーフィルター１０８と、によって画像表示装置を構成し、バリア素子１０１の微小点光源Ａ１から出射された光が、凸レンズ２０１によって屈曲され、マイクロ凸レンズ素子２０３によって略平行光に変換され画像表示素子１０７やカラーフィルター１０８を透過した後に瞳１０６の位置で略一点で交わり、拡大虚像を瞳から明視の距離以上離れた一面に形成している。
【００３０】
なお、図２（ｂ）　の符号２０４は、上述した凸レンズ２０１とマイクロ凸レンズ２０３とを一体化させたものを示すが、凸レンズ２０１やマイクロ凸レンズ２０３の替わりに上記部材２０４を用いても同様の効果を得ることができる。
【００３１】
（実施例３）
図３は、本発明に係る画像表示装置の一実施例を示す図である。本実施例では、同図に示すように、略平行光束を面に垂直（つまり、図面では符号３０２で示すように水平方向）に出射する多数の微小光源Ａ２が２次元マトリックス状に面配列されたバリア素子（第２照明手段）３０１と、各微小光源からの光を瞳の方向へ屈曲させるマイクロプリズム素子（第３光学部材）１０２と、画像を表示する画像表示素子１０７と、カラーフィルター１０８と、によって画像表示装置を構成し、バリア素子３０１の微小点光源Ａ２から出射された光が、マイクロプリズム素子１０２によって屈曲され、瞳１０６の位置で略一点で交わり、拡大虚像を瞳から明視の距離以上離れた一面に形成している。
【００３２】
なお、本実施例における微小点光源Ａ２は（実施例１や２のように発散光を照射するものではなく）平行光束を出射するものであることからバリア素子３０１とマイクロプリズム素子１０２との距離は自由に設定できるが、それらの距離を小さくした方が装置を小型化できるので好ましい。
【００３３】
平行光線がレーザー光のような場合でも光路上の光学素子を透過する際に若干拡散させることで、ある程度の大きさを持つ画素として観察することができる。
【００３４】
（実施例４）
図４（ａ）　は、本発明に係る画像表示装置の一実施例を示す図である。本実施例では、同図に示すように、実施例３で用いたバリア素子（第２照明手段）３０１と、各微小点光源からの光を瞳の方向へ屈曲させる凸レンズ２０１及びマイクロ凹レンズ４０１と、画像を表示するための画像表示素子１０７と、カラーフィルター１０８と、によって画像表示装置を構成し、バリア素子３０１の微小点光源Ａ２から出射された光が、凸レンズ２０１によって屈曲され、瞳１０６の位置で略一点で交わり、拡大虚像を瞳から明視の距離以上離れた一面に形成している。
【００３５】
なお、図４（ｂ）　の符号４０３は、上述した凸レンズ２０１とマイクロ凹レンズ４０１とを一体化させたものを示すが、凸レンズ２０１やマイクロ凹レンズ４０１の替わりに上記部材４０３を用いても同様の効果を得ることができる。
【００３６】
（実施例５）
図５（ａ）　は本発明に係る画像表示装置の一実施例を示す図である。本実施例では、同図に示すように、２次元的に配列された多数の開口部Ｂを有するバリア素子（光量制御手段）５０１を有しており、このバリア素子５０１は、開口部Ｂの開口面積を変化させることにより光量を制御するように構成されている。そのバリア素子５０１の背面には面光源（第３照明手段）５０２を配置している。また、バリア素子５０１に沿うように凸レンズ（第１光学部材）２０１が配置され、各開口部Ｂを通過してきた光を収束させた上で瞳の方向へ屈曲させるようになっている。さらに、その凸レンズ２０１に沿うようにマイクロ凸レンズ（第２光学部材）２０３が配置され、各開口部Ｂを通過してきた光を略平行光束に変換するようになっている。
【００３７】
この装置によれば、バリア素子５０１を図５（ａ）　に示すように微小開口状態にした場合には、面光源５０２からの光は実施例２と同様に、片目を近接させたとき微小開口の拡大虚像の観察を可能とする。また、バリア素子５０１を図５（ｂ）　に示すように全面開口状態にした場合には、両眼視による離れた位置での画面の観察を可能にする。
【００３８】
（実施例６）
図６（ａ）　は、本発明に係る画像表示装置の一実施例を示す図である。本実施例に係る画像表示装置は、図４（ａ）　に示す画像表示装置とほぼ同様の構造であるが、画像表示素子１０７の背面には散乱制御素子６０１を配置した。そして、この散乱制御素子６０１によって全面散乱状態と全面透過状態を切り替え可能とし、片面の瞳を近接させたとき全面透過状態にて拡大虚像の観察を可能にすると共に、離れた位置での散乱状態にて、散乱光により両眼視による画面の観察を可能とした（同図（ｂ）　参照）。
【００３９】
（実施例７）
またバリア素子が、独立に光量を制御できる自己発光型画像表示機能を有する場合においては、マイクロレンズを含む照明光学系の表面側に２次元マトリックス状カラーフィルター素子を配置しこのカラーフィルターに近接して瞳側あるいは瞳とは反対側に散乱制御素子を配し、全面散乱状態と全面透過状態に切り替えてもよい。以下、詳細に説明する。
【００４０】
図７（ａ）　は、本発明に係る画像表示装置の一実施例を示す図である。本実施例では、バリア素子７０１には、画像情報に応じた光を出射する微小点光源Ａ３が２次元的に多数配列されて構成されたものを用いた。また、バリア素子７０１に沿うように凸レンズ（第１光学部材）２０１を配置して、その出射光を瞳の方向へ屈曲させるようにし、マイクロ凸レンズ（第２光学部材）２０３を配置して該光を収束させた上で略平行光束に変換するようにした。さらに、マイクロ凸レンズ２０３に沿うように散乱制御素子６０１を配置し、該散乱制御素子６０１を全面透過状態とした場合には片目による拡大虚像の観察を可能とし、該散乱制御素子６０１を全面散乱状態とした場合には両目による画像の観察を可能とするようにした。なお、カラーフィルター１０８を配置して色表示できるようにした。
【００４１】
なお、図７（ａ）　ではカラーフィルタを用いたが、その替わりに、同図（ｂ）　に示すように、画像情報を含んだ各色光を出射する微小点光源Ａ４にてバリア素子（つまり、色情報を含む自己発光型画像表示機能を有するもの）７１０を構成しても良い。
【００４２】
【発明の効果】
以上説明したように、本発明によれば、画像表示装置を覗き込むことによる（近接した位置での）拡大虚像の観察が可能となり、さらに、該装置から離れた位置での画面観察（等倍での両眼視による観察）が可能となる。
【図面の簡単な説明】
【図１】本発明に係る画像表示装置の一実施例を示す図。
【図２】本発明に係る画像表示装置の一実施例を示す図。
【図３】本発明に係る画像表示装置の一実施例を示す図。
【図４】本発明に係る画像表示装置の一実施例を示す図。
【図５】本発明に係る画像表示装置の一実施例を示す図。
【図６】本発明に係る画像表示装置の一実施例を示す図。
【図７】本発明に係る画像表示装置の一実施例を示す図。
【図８】特開平１０−１７０８６０号公報に記載のＨＭＤの構造を示す図。
【図９】特開平５−３２８２６１号公報や特開平６−４３３９１号公報に記載のＨＭＤの構造を示す図。
【符号の説明】
１０１　　　バリア素子（第１照明手段）
１０２　　　マイクロプリズム素子（第１光学部材）
１０４　　　マイクロ凸レンズ（第２光学部材）
１０７　　　画像表示素子
２０１　　　凸レンズ（第１光学部材）
２０３　　　マイクロ凸レンズ（第２光学部材）
３０１　　　バリア素子（第２照明手段）
５０１　　　バリア素子（光量制御手段）
５０２　　　面光源（第３照明手段）
６０１　　　散乱制御素子
７０１　　　バリア素子（第４照明手段）
Ａ１　　　　微小点光源
Ａ２　　　　微小点光源
Ａ３　　　　微小点光源
Ａ４　　　　微小点光源
【図１】
2004029236.tif 000003
【図２】
2004029236.tif 000004
【図３】
2004029236.tif 000005
【図４】
2004029236.tif 000006
【図５】
2004029236.tif 000007
【図６】
2004029236.tif 000008
【図７】
2004029236.tif 000009
【図８】
2004029236.tif 000010
【図９】
2004029236.tif 000011